【事件の表示】
　特願２０１４−１８１１４９「空気浄化装置」拒絶査定不服審判事件〔平成２７年　３月１９日出願公開、特開２０１５−　５１２６８、請求項の数（７）〕について、次のとおり審決する。
【結　論】
　原査定を取り消す。
　本願の発明は、特許すべきものとする。
【理　由】
第１　手続の経緯
　本願は、平成２６年　９月　５日（パリ条約による優先権主張　２０１３年　９月　５日　（ＫＲ）大韓民国　２０１３年　９月　５日　（ＫＲ）大韓民国）の出願であって、平成２９年８月３１日付けで手続補正書が提出され、平成３０年　８月１３日付けで拒絶理由通知がされ、同年１１月１３日付けで意見書及び手続補正書が提出され、平成３１年　３月１２日付けで拒絶査定（以下、原査定という）がされ、これに対し、令和　１年　７月１８日付けで拒絶査定不服審判の請求がされると同時に手続補正書が提出され、同年１０月　４日付けで上申書が提出され、同年１２月　５日付けで上申書が提出されたものである。
第２　原査定の概要
　原査定の概要は次の通りである。
理由１．請求項１，１９に係る発明は、以下の引用文献１又は２に記載された発明であるから、特許法第２９条第１項第３号の規定により特許を受けることができない。
理由２．請求項１−３１に係る発明は、以下の引用文献１又は２に記載された発明に基づいて、当業者が容易に発明をすることができたものであるから、特許法第２９条第２項の規定により特許を受けることができない。
引用文献等一覧
１．特開２００１−０７９０７２号公報
２．特開２００５−３２８９１５号公報
第３　本願発明
　本願の請求項１〜７に係る発明は、令和１年７月１８日付けで提出された手続補正書によって補正された特許請求の範囲の請求項１〜７に記載された次のとおりのものであると認める。
「　【請求項１】
　空気流入口及び空気排出口を有するケースと、
　前記ケースの内部において、前記空気流入口と隣接して配置される送風機と、
　前記ケースの内部に配置されるフィルタ部と、
　前記送風機と前記フィルタ部との間に配置され、前記送風機の吐出口から排出された空気の流動形態を制御する流体制御構造物と、
　前記送風機の吐出口と前記フィルタ部との間に配置された板状構造物と、
　前記板状構造物に設けられた複数の紫外線発光ダイオードを含む光源部と、
　を備え、
　前記板状構造物は、第１面及び前記第１面の反対側の第２面を有し、前記吐出口と前記フィルタ部とによって挟まれた領域に設けられ、
　前記複数の紫外線発光ダイオードを含む光源部は、前記第１面に設けられ、
　前記第２面は、前記吐出口に対面し、
　前記板状構造物は、隣接する前記紫外線発光ダイオードを含む光源部の間の空気の流れを遮蔽し、
　前記流体制御構造物は、前記送風機の吐出口より空気が流入される一端と、流入された空気が排出される他端を含み、前記一端と前記他端とを接続する側面を備え、
　前記側面は、前記送風機の吐出口から前記ケースの内壁の方向に延在する第１の導管部、及び、一端が前記第１の導管部と接続され、他端が前記フィルタ部の方向に延在する第２の導管部を備え、
　前記流体制御構造物の前記側面は、少なくとも一部が曲線形であることを特徴とする空気浄化装置。
　　【請求項２】
　前記流体制御構造物の前記側面は、前記第１の導管部及び前記第２の導管部と接続され、前記ケースの内壁と平行な方向に延在する第３の導管部をさらに構成することを特徴とする請求項１に記載の空気浄化装置。
　　【請求項３】
　前記第２の導管部は、前記一端よりも前記他端がケースの内壁に近いことを特徴とする請求項１に記載の空気浄化装置。
　　【請求項４】
　前記第２の導管部は、前記一端よりも前記他端がケースの内壁から離れていることを特徴とする請求項１に記載の空気浄化装置。
　　【請求項５】
　前記板状構造物は、前記流体制御構造物の内部に配置され、前記ケースの内壁と平行な部分を有することを特徴とする請求項１に記載の空気浄化装置。
　　【請求項６】
　前記紫外線発光ダイオードを含む光源部から紫外線が照射される方向は、前記送風機によって送られる空気の下流方向であることを特徴とする請求項１に記載の空気浄化装置。
　　【請求項７】
　空気流入口及び空気排出口を備えるケースと、
　前記ケースの内部において、前記空気流入口と隣接して配置される送風機と、
　前記送風機と前記ケースの空気排出口との間に配置され、前記送風機の吐出口から排出された空気が通過するフィルタ部と、
　前記送風機と前記フィルタ部との間に配置された第１の流体制御構造物と、
　前記送風機の吐出口と前記フィルタ部との間に配置された板状構造物と、
　前記板状構造物に設けられた複数の紫外線発光ダイオードを含む光源部と、
　前記フィルタ部と前記ケースの空気排出口との間に配置された第２の流体制御構造物と、を備え、
　前記板状構造物は、第１面及び前記第１面の反対側の第２面を有し、前記吐出口と前記フィルタ部とによって挟まれた領域に設けられ、
　前記複数の紫外線発光ダイオードを含む光源部は、前記第１面に設けられ、
　前記第２面は、前記吐出口に対面し、
　前記板状構造物は、隣接する前記紫外線発光ダイオードを含む光源部の間の空気の流れを遮蔽し、
　前記第１の流体制御構造物は、前記送風機の吐出口より空気が流入される一端と、流入された空気が排出される他端を含み、前記一端と前記他端とを接続する側面を備え、
　前記側面は、前記送風機の吐出口から前記ケースの内壁の方向に延在する第１の導管部、及び、一端が前記第１の導管部と接続され、他端が前記フィルタ部の方向に延在する第２の導管部を備え、
　前記第１の流体制御構造物の前記側面は、少なくとも一部が曲線形であり、
　前記送風機から排出された空気が、前記第１の流体制御構造物、前記フィルタ部、前記第２の流体制御構造物からなる流路を介して前記ケースの空気排出口で排出されることを特徴とする空気浄化装置。」
第４　当審の判断
１　特許法第２９条第１項第３号（新規性）及び特許法第２９条第２項（進歩性）について
引用文献等一覧
１.特開２００１−０７９０７２号公報（原査定の引用文献１）
２.特開２００５−３２８９１５号公報（原査定の引用文献２）
（以下、平成３０年８月１３日付けの拒絶理由通知で引用された文献）
３.登録実用新案第３１４２２０４号公報
４.特開２００２−０７８７８２号公報
５.特開２００４−２６１４１２号公報
６.特開２０１１−０５６１５５号公報
７.特開２００３−１３５５７６号公報
８.国際公開第２０１２／１１７５４７号
９.特開２００６−３２２６４８号公報
１０.特開２００４−１００５９７号公報
１１.特開２００３−１８０８０５号公報
１２.特開２００２−１０２６５４号公報
１３.特開２００１−３１４４９５号公報
１４.実願平０３−０９７４０９号（実開平０５−０４７７３２号）のＣＤ−ＲＯＭ
１５.特開平０６−２１８２１４号公報
１６.特開平０９−１０８５１７号公報
１７.特開２００７−１００６３５号公報
１８.特開２００５−２３７９５４号公報
１９.特開２０００−２７１４８６号公報
２０.特開平７−３１１５１９号公報
２１.特開２００６−２７１６３６号公報
（以下、平成３１年３月１２日付けの拒絶査定の備考欄に記載された文献）
２２.特開２０１３−１０３１８４号公報
２３.特開平１０−２７７３５５号公報
２４.特開２００２−０９５９２４号公報
２５.特開２００９−０７２４３０号公報
２６.特開２００８−１０４７３９号公報
２７.特開２００７−１３００４２号公報
２８.特開２００１−００９０１６号公報
２９.特開２０１２−０５０９７９号公報
３０.特開２００３−２８７３５４号公報
３１.特開２０００−１２１１１１号公報
３２.特開平９−２５３１８９号公報
３３.特開平９−２０９９３７号公報
（１）引用文献の記載事項
ア　引用文献１
（ア）本願の優先日前に頒布された又は電気通信回線を通じて公衆に利用可能となった文献である、特開２００１−０７９０７２号公報（以下、「引用文献１」という）には、次の記載がある。（下線は当審が付加した。「…」は当審による省略を表す。以下同様。）
ａ　「【０００１】
　　【発明の属する技術分野】
　本発明は、空気中に含まれる臭気成分を脱臭する光触媒付脱臭フィルタと、この光触媒に紫外線を照射させる紫外線照射装置とを備える空気清浄器に関する。　　　　　　
　　　【０００２】
　　【従来の技術】
　上記のような空気清浄器において、例えば実開平２−８３０２７号公報記載のごとく、光触媒への紫外線照射率向上のため、紫外線を照射するランプをケース内の通風路の中央に設けているものがある。
　　　【０００３】
　　【発明が解決しようとする課題】
　上記のような従来の空気清浄器では、上記ランプがケース内の通風路の中央に設けられていることにより、ケース内の通風抵抗が大きくなり、ケース内の空気流の圧力損失が増加するという問題が発生している。
　　　【０００４】
　本発明は、上記問題点に鑑み、
紫外線照射装置の設置によるケース内での空気流の圧力損失増加を防止することを目的
　　　【０００５】
　　【課題を解決するための手段】
　本発明は、上記目的を達成させるために以下の技術的手段を用いる。
　　　【０００６】
　
請求項１記載の発明では、空気吸込口（３）から空気吹出口へ空気を導く空気通路（２、１１）と、この空気通路（２、１１）内において上記空気吸込口（３）から上記空気吹出口にかけて空気流を発生する送風手段（５）と、上記空気中に含まれる臭気成分を脱臭する脱臭材にて構成され、紫外線が照射されると励起する触媒が担持されているフィルタ部材（６）と、このフィルタ部材（６）に担持された上記触媒に紫外線を照射する紫外線照射手段（１２、２０）とを備えた空気清浄器において、
　上記紫外線照射手段（１２、２０）が、上記空気通路（２、１１）の内壁面に設けられていることを特徴としている。
…
　　　【０００９】
　これら請求項１〜３の発明によると、空気通路（２、１０、１１）内の通風抵抗は上記従来技術と比較して格段に小さくなり、その結果、空気通路（２、１０、１１）内での空気流の圧力損失増加を防止することができる。」
ｂ　「【００４６】
　（第４実施形態）
　本実施形態は、上記第１、３実施形態に対して、紫外線照射手段として、光触媒付フィルタ６に対向する平面部全体で紫外線を照射する面光源２０を用い、更に、面光源２０の紫外線照射面２１が光触媒付フィルタ６の平面部に対して略平行となるようにしたものである。以下、その詳細について図８〜１１を用いて説明する。なお、図８は本実施形態の図１相当図、図９は面光源２０の斜視図、図１０は図９のＣ−Ｃ断面図、図１１は平板２４の平面図である。
　　　【００４７】
　図８に示すように、光触媒付脱臭フィルタ６に紫外線を照射し、ケース２内壁面にほぼ沿った板状の面光源２０が、ケース２内壁面のうち、光触媒付脱臭フィルタ６下方側部位に設けられている。なお、面光源２０は、光触媒付脱臭フィルタ６に対向する平面部にて紫外線照射面２１をなしており、この紫外線照射面２１が光触媒付脱臭フィルタ６の空気通過面６ａに対して略平行となっている。ここで、光触媒付脱臭フィルタ６の空気通過面６ａは、紫外線が照射される平面部、すなわち請求項７における「フィルタ部材の平面部」となっている。
　　　【００４８】
　また、２２は、光触媒付脱臭フィルタ６にて脱臭した空気を車室内へ吹出す空気吹出口である。
　　　【００４９】
　
面光源２０は、図９に示すように、それぞれガラス製の、発光部２３および平板２４にて構成されており、平板２４上には２つの電極２５、２６が設けられている。この電極２５、２６間には、バッテリ（図示しない）からの供給電圧が、Ｄ／Ａ変換器（図示しない）にて交流電圧に変換された後、印加されるようになっている。
　　　【００５０】
　
また、図１０において、発光部２３と平板２４との間に形成される空間２７には、希ガス（本実施形態ではキセノン）が封入され、発光部２３の内面２８には蛍光体が塗布されている。
　　　【００５１】
　また、電極２５、２６は、図１１に示すように、それぞれ互い違いに設けられており、
電極２５、２６間に上記交流電圧が印加されると放電が起こり、上記キセノンが励起して上記蛍光体に衝突することによって、紫外線照射面２１から紫外線が略垂直に照射されるようになっている。
　　　【００５２】
　本実施形態の作動としては、乗員によって空気清浄ユニット１の再生運転の作動が指示されると、面光源２０が発光するとともにファン５が駆動し、
光触媒付脱臭フィルタ６の空気通過面６ａに対して紫外線が略垂直に照射され、上記光触媒が励起して上記脱臭フィルタに吸着している臭気成分を酸化分解して脱臭フィルタが再生される。
　　　【００５３】
　本実施形態によると、紫外線照射手段として、光触媒付脱臭フィルタ６に対向する平面部全体で紫外線照射面２１をなし、
ケース２内壁面にほぼ沿った板状の面光源２０を用いているので、上記第１実施形態のようにＬＥＤを複数設ける必要なく、光触媒付脱臭フィルタ６に当たる紫外線量のむらを防止して、光触媒付脱臭フィルタ６への紫外線照射率を向上できる。
　　　【００５４】
　また、面光源２０の紫外線照射面２１から略垂直に紫外線が照射されるともに、紫外線照射面２１と光触媒付脱臭フィルタ６の空気通過面６ａとが略平行となっているため、光触媒付脱臭フィルタ６の空気通過面６ａに対して略垂直に紫外線を照射し、空気通過面６ａの全面に均等な量の紫外線を当てることができる。その結果、より効果的に光触媒付脱臭フィルタ６への紫外線照射率を向上できる
。」
ｃ　「
」（図８）
ｄ　「
」（図９）
ｅ　「
」（図１０）
ｆ　「
」（図１１）
（イ）　引用発明
　上記（ア）から、引用文献１には、「第４実施形態」に基づく発明として、次の発明（以下「引用発明１」という。）が記載されていると認められる。
　「空気吸込口及び空気吹出口を有し、空気吸込口から空気吹出口へ空気を導く空気通路をなすケースと、
　前記ケースの内部において、前記空気吸込口と隣接して配置され、空気流を発生する送風手段であるファンと、
　前記ケースの内部に配置され、前記空気中に含まれる臭気成分を脱臭する脱臭材にて構成され、紫外線が照射されると励起する触媒が担持されている光触媒付脱臭フィルタと、
　前記ケース内壁面にほぼ沿って設けられた平板と、
　前記平板上に設けられ、前記フィルタに担持された前記触媒に紫外線を照射する紫外線照射手段であり、放電により発光する発光部と、
　を備え、
前記平板は、発光部に対向する面及びケース内壁面にほぼ沿った面を有し、
　前記空気通路が前記送風手段から前記フィルタに向かって狭くなり、前記フィルタの断面積よりも前記空気吹出口の断面積が小さい、空気清浄器。」
イ　引用文献２
（ア）本願の優先日前に頒布された又は電気通信回線を通じて公衆に利用可能となった文献である、特開２００５−３２８９１５号公報（以下、「引用文献２」という）には、次の記載がある。
ａ　「【０００９】
　本発明はかかる従来の事情に対処するためになされたものであり、無人の閉空間内において、ガスの臭い濃度が高い場合や周囲の天井、壁ないし床に分解すべき物質が吸着している場合であっても、
より良好に浄化作用を発揮することが可能なガス浄化装置およびガス浄化方法を提供することを目的とする。
【課題を解決するための手段】
　【００１０】
　本発明に係るガス浄化装置は、上述の目的を達成するために、請求項１に記載したように、浄化対象ガスのガス流路上に設けられた光触媒と、この
光触媒を活性化するための放電光を生成し、かつ放電により前記浄化対象ガスからオゾンを発生させる放電電極
ｂ　「【００１５】
　図１は本発明に係るガス浄化装置の第１の実施形態を示す構成図であり、図２は、図１に示すガス浄化装置１の装置本体の詳細構成図である。
　【００１６】
　ガス浄化装置１は、屋内のゴミステーションやコンテナ等の無人の閉空間２内部に設けられ、装置本体３と散水部４とを有する。装置本体３は、収納ケース５内に駆動用ファン６、放電反応部７、高電圧電源８および制御回路９を設けて構成される。そして、収納ケース５の吸気口５ａから駆動用ファン６、放電反応部７、排気口５ｂを経由して浄化対象ガスＸのガス流路１０が形成される。
　【００１７】
　放電反応部７は、放電電極１１および光触媒モジュール１２を備える。光触媒モジュール１２は、三次元網目状のセラミックス基体の表面に例えば酸化チタン等の光触媒を担持させて構成される。光触媒モジュール１２は、例えば駆動用ファン６のファン送風口６ａ側に形成されたガス流路１０上に設けられ、光触媒モジュール１２を浄化対象ガスＸが通過できるように構成される。但し、駆動用ファン６の上流側に光触媒モジュール１２を設けてもよい。そして、駆動用ファン６の駆動により閉空間２内部の浄化対象ガスＸを収納ケース５内部に形成されたガス流路１０に導く一方、収納ケース５から閉空間２に排出する浄化対象ガスＸの流れを形成することができる。
　【００１８】
　
放電電極１１は、高電圧電源８から電圧が印加されることにより放電光とともにオゾンを発生させ、発生させた放電光に含まれる紫外線を光触媒モジュール１２が担持する光触媒に照射して活性化できるように構成される
　【００１９】
　また、光触媒モジュール１２の下流側のガス流路１０は収納ケース５の排気口５ｂに導かれる。このため、ガス流路１０内に導かれた空気等の浄化対象ガスＸはオゾンとともに収納ケース５の排気口５ｂから閉空間２内部に放出するように構成される。収納ケース５の排気口５ｂは、閉空間２内部において、臭いの原因となる物質等の分解すべき物質がより多量に吸着されていると想定される部位に向けられ、オゾンが良好に当該部位に向けて放出される構造とされる。例えば、閉空間２がコンテナである場合には、コンテナの天井２ａおよび四方の壁２ｂが金属製であるのに対し、床２ｃは物質を吸着し易い木製であることが多いため、収納ケース５の排気口５ｂは、床２ｃに向けられる。」
ｃ　「
」（図２）
（イ）　引用発明
　上記（ア）から、引用文献２には、「第１の実施形態」に基づく発明として、次の発明（以下「引用発明２」という。）が記載されていると認められる。
「吸気口及び排気口を有する収納ケースと、
　前記収納ケースの内部において、前記吸気口に隣接して配置される駆動用ファンと、
　前記収納ケースの内部に配置される光触媒モジュールと、
　前記光触媒モジュールと前記駆動用ファンとの間に配置され、光触媒を活性化するための紫外線を含む放電光を生成し、かつ放電によりオゾンを発生させる放電電極と、を備える、
　ガス浄化装置。」
（２）引用発明１との対比・判断について
（２−１）請求項１に係る発明について
ア　引用発明１と請求項１に係る発明との対比
　引用発明１の「空気吸込口」、「空気吹出口」、「ケース」、「ファン」、「光触媒付脱臭フィルタ」、「平板」、「発光部に対向する面」、「ケースの内壁面にほぼ沿った面」及び、「発光部」は、それぞれ、請求項１に係る発明の「空気流入口」、「吸気排出口」、「ケース」、「送風機」、「フィルタ部」、「板状構造物」、「第１面」、「第２面」及び、「光源部」に相当する。また、引用発明１の「平板」は、上記（１）ア（ア）ｃの図８から、「ファン」と「光触媒付脱臭フィルタ」との間に位置しているから、引用発明１において、平板が「ケース２内壁面にほぼ沿って設けられ」ていることは、請求項１に係る発明において、板状構造物が「前記送風機の吐出口と前記フィルタ部との間に配置され」ていることに相当する。
　また、引用発明１が「空気吸込口から空気吹出口へ空気を導く空気通路」を有し「前記空気通路が前記送風手段から前記フィルタに向かって狭くな」ることは、請求項１に係る発明が「前記送風機と前記フィルタ部との間に配置され、前記送風機の吐出口から排出された空気の流動形態を制御する流体制御構造物」を備え、「前記流体制御構造物は、前記送風機の吐出口より空気が流入される一端と、流入された空気が排出される他端を含み、前記一端と前記他端とを接続する側面を備える」ことに相当する。
イ　一致点及び相違点
　以上のことから、請求項１に係る発明と引用発明１との一致点及び相違点は、次のとおりである。
＜一致点＞
　空気流入口及び空気排出口を有するケースと、
　前記ケースの内部において、前記空気流入口と隣接して配置される送風機と、
　前記ケースの内部に配置されるフィルタ部と、
　前記送風機と前記フィルタ部との間に配置され、前記送風機の吐出口から排出された空気の流動形態を制御する流体制御構造物と、
　前記送風機の吐出口と前記フィルタ部との間に配置された板状構造物と、
　前記板状構造物に設けられた光源部と、
　を備え、
　前記板状構造物は、第１面及び前記第１面の反対側の第２面を有し、前記吐出口と前記フィルタ部とによって挟まれた領域に設けられ、
　前記光源部は、前記第１面に設けられ、
　前記流体制御構造物は、前記送風機の吐出口より空気が流入される一端と、流入された空気が排出される他端を含み、前記一端と前記他端とを接続する側面を備える、
空気浄化装置。
＜相違点１−１＞
　請求項１に係る発明の板状構造物は、「複数の紫外線発光ダイオードを含む」光源部を有するのに対し、引用発明１に係る平板は、「放電により発光する」発光部を用いている点。
＜相違点１−２＞
　請求項１に係る発明の板状構造物の「第２面」は、「前記吐出口に対面」しているのに対し、引用発明１に係る平板の「ケース内壁面にほぼ沿った面」は、この点が特定されていない点。
＜相違点１−３＞
　請求項１に係る発明の板状構造物は「隣接する前記紫外線発光ダイオードを含む光源部の間の空気の流れを遮蔽」するものであるのに対し、引用発明１に係る平板はこの点が不明である点。
＜相違点１−４＞
　請求項１に係る発明は、「前記側面は、前記送風機の吐出口から前記ケースの内壁の方向に延在する第１の導管部、及び、一端が前記第１の導管部と接続され、他端が前記フィルタ部の方向に延在する第２の導管部を備え、前記流体制御構造物の前記側面は、少なくとも一部が曲線形であることを特徴とする」のに対し、引用発明１はこの点が特定されていない点。
ウ　相違点についての検討
　＜相違点１−２＞について、引用文献１には、引用発明１の「平板」の「ケース内壁面にほぼ沿った面」を、空気吹出口（請求項１に係る発明における「吐出口」に相当）に対面させる点について、記載も示唆もされていない。
　まず、この点が設計事項であるか検討するに、請求項１に係る発明における「板状構造物」は、「第２面」が「前記吐出口に対面」している配置となっていることについて、本願明細書は、「板状構造物６４４の一表面は流路方向と対向するように配置されることにより、ケース６１０内の空気の流れを妨げることができる。」（【００５７】）、「板状構造物６４４を通過する間、空気の流速が遅くなることにより、空気がフィルタ部６３０と反応できる時間を増加させることができる。」（【００５８】）と記載されている。請求項１における「板状構造物」は「前記板状構造物は、第１面及び前記第１面の反対側の第２面を有し、前記吐出口と前記フィルタ部とによって挟まれた領域に設けられ」るものであることも考慮すると、請求項１に係る発明における「板状構造物」における「第２面」が「前記吐出口に対面」している配置となっていることは、空気の流れを妨げ、フィルタ部における反応時間を増加させるという技術的意義を備えたものであるといえる。一方、引用文献２乃至３３を考慮しても、このような技術的意義のもとで、「前記吐出口に対面」した「第２面」を有する平板を空気清浄器に設けることが一般に行われているとはいえないから、引用発明１の「平板」の「ケース内壁面にほぼ沿った面」を、空気吹出口に対面させる変更を行うことが当業者にとって容易になしうる設計事項であるということもできない。
　次に、この点が他の引用文献に記載された事項と組み合わせることにより当業者が容易に想到できるか検討するに、引用文献２乃至３３には、本願請求項１に係る、送風機の吐出口と前記フィルタ部との間に配置された板状構造物」であって、「前記板状構造物に設けられた複数の紫外線発光ダイオードを含む光源部」を備え、「前記板状構造物は、第１面及び前記第１面の反対側の第２面を有し、前記吐出口と前記フィルタ部とによって挟まれた領域に設けられ、前記複数の紫外線発光ダイオードを含む光源部は、前記第１面に設けられ、前記第２面は、前記吐出口に対面し、前記板状構造物は、隣接する前記紫外線発光ダイオードを含む光源部の間の空気の流れを遮蔽する」ものである板状構造物に相当する部材が記載も示唆もされていない（特に、引用文献２５については【０００１】、【０００９】〜【００２６】、図１〜４、引用文献２６については【０００１】、【００３０】〜【００５９】図１〜３、１１、１２参照）。そうすると、引用発明１及び引用文献２乃至３３に基づいて、引用発明１の「平板」の「ケース内壁面にほぼ沿った面」を、空気吹出口に対面させる変更を行うことを、引用発明１及び引用文献２乃至３３の記載から当業者が容易に想到し得たとはいえない。
　以上から、引用発明１及び引用文献２乃至３３の記載に基づいて、＜相違点１−２＞を解消することは、当業者が容易に想到し得たこととはいえない。
エ　小括
　そうすると、そのほかの相違点について検討するまでもなく、請求項１に係る発明は引用発明１ではなく、当業者であっても、引用発明１並びに引用文献２乃至３３の記載に基づいて容易に発明をすることができたものとはいえない。
（２−２）請求項２〜６について
　請求項２〜６は請求項１を引用するものであり、請求項２〜６に係る各発明は、請求項１と同様に、板状構造物の「第２面」が「前記吐出口に対面」しているという発明特定事項を備えるものであるから、請求項１に係る発明と同じ理由により、請求項２〜６に係る各発明は、引用発明１ではなく、当業者であっても、引用発明１並びに引用文献２乃至３３の記載に基づいて容易に発明をすることができたものとはいえない。
（２−３）請求項７について
　請求項７は請求項１と同様に空気浄化装置の発明であり、請求項１と同様に、板状構造物の「第２面」が「前記吐出口に対面」しているという発明特定事項を備えるものであるから、請求項１に係る発明と同じ理由により、請求項７に係る発明は、引用発明１ではなく、当業者であっても、引用発明１並びに引用文献２乃至３３の記載に基づいて容易に発明をすることができたものとはいえない。
（３）引用発明２との対比・判断について
（３−１）請求項１に係る発明について
ア　引用発明２と請求項１に係る発明との対比
　引用発明２における「吸気口」、「排気口」、「収納ケース」、「駆動用ファン」、「光触媒モジュール」及び「ガス浄化装置」は、それぞれ、請求項１に係る発明の「空気流入口」、「空気排出口」、「ケース」、「送風機」、「フィルタ部」及び「空気浄化装置」に相当する。
　引用発明２における「放電電極」は、紫外線を含む放電光とともにオゾンを発生するものであるから、請求項１に係る発明の「複数の紫外線発光ダイオードを含む光源部」と、紫外線を発生させる光源部である点で共通するが、「複数の紫外線発光ダイオードを含む」光源部ではない点で相違する。
イ　一致点及び相違点
　以上のことから、請求項１に係る発明と引用発明２との一致点及び相違点は、次のとおりである。
＜一致点＞
　空気流入口及び空気排出口を有するケースと、
　前記ケースの内部において、前記空気流入口と隣接して配置される送風機と、
　前記ケースの内部に配置されるフィルタ部と、
　紫外線を発生させる光源部と、を備える、
　空気浄化装置。
＜相違点２−１＞
　請求項１に係る発明は、「前記送風機の吐出口と前記フィルタ部との間に配置された板状構造物」であって、「前記板状構造物に設けられた複数の紫外線発光ダイオードを含む光源部」を備え、「前記板状構造物は、第１面及び前記第１面の反対側の第２面を有し、前記吐出口と前記フィルタ部とによって挟まれた領域に設けられ、前記複数の紫外線発光ダイオードを含む光源部は、前記第１面に設けられ、前記第２面は、前記吐出口に対面し、前記板状構造物は、隣接する前記紫外線発光ダイオードを含む光源部の間の空気の流れを遮蔽する」ものである板状構造物を備えるのに対し、引用発明２は当該板状構造物に相当する部材を備えると特定されていない点。
＜相違点２−２＞
　請求項１に係る発明は「前記送風機と前記フィルタ部との間に配置され、前記送風機の吐出口から排出された空気の流動形態を制御する流体制御構造物」を備え、「前記流体制御構造物は、前記送風機の吐出口より空気が流入される一端と、流入された空気が排出される他端を含み、前記一端と前記他端とを接続する側面を備え、前記側面は、前記送風機の吐出口から前記ケースの内壁の方向に延在する第１の導管部、及び、一端が前記第１の導管部と接続され、他端が前記フィルタ部の方向に延在する第２の導管部を備え、前記流体制御構造物の前記側面は、少なくとも一部が曲線形であることを特徴とする」のに対し、引用発明２は上記「流体制御構造物」にあたるものを備えるか不明である点。
ウ　相違点についての検討
　＜相違点２−１＞について、引用文献２には、請求項１に係る発明における、「前記送風機の吐出口と前記フィルタ部との間に配置された板状構造物」であって、「前記板状構造物に設けられた複数の紫外線発光ダイオードを含む光源部」を備え、「前記板状構造物は、第１面及び前記第１面の反対側の第２面を有し、前記吐出口と前記フィルタ部とによって挟まれた領域に設けられ、前記複数の紫外線発光ダイオードを含む光源部は、前記第１面に設けられ、前記第２面は、前記吐出口に対面し、前記板状構造物は、隣接する前記紫外線発光ダイオードを含む光源部の間の空気の流れを遮蔽する」ものである板状構造物に相当する部材が記載も示唆もされていない。また、引用文献１、３乃至３３（特に、引用文献２５については【０００１】、【０００９】〜【００２６】、図１〜４、引用文献２６については【０００１】、【００３０】〜【００５９】図１〜３、１１、１２参照）にも、上記板状構造物に相当する部材が記載も示唆もされていない。
　してみれば、引用発明２並びに引用文献１、３乃至３３の記載に基づいて、＜相違点２−１＞を解消することは、当業者が容易に想到し得たこととはいえない。
エ　小括
　そうすると、そのほかの相違点について検討するまでもなく、請求項１に係る発明は引用発明２ではなく、請求項１に係る発明は、当業者であっても引用発明２並びに引用文献１、３乃至３３の記載に基づいて、容易に発明をすることができたものとはいえない
（３−２）請求項２〜６について
　請求項２〜６は請求項１を引用するものであり、請求項２〜６に係る各発明は、請求項１と同様に、上記板状構造物を備えるものであるから、請求項１に係る発明と同じ理由により、請求項２〜６に係る各発明は引用発明２ではなく、当業者であっても、引用発明２並びに引用文献１、３乃至３３の記載に基づいて、容易に発明をすることができたものとはいえない。
（３−３）請求項７について
　請求項７は請求項１と同様に空気浄化装置の発明であり、請求項１と同様に、上記板状構造物を備えるものであるから、請求項１に係る発明と同じ理由により、請求項７に係る発明は引用発明２ではなく、当業者であっても、引用発明２並びに引用文献１、３乃至３３の記載に基づいて、容易に発明をすることができたものとはいえない。
第５　原査定について
　原査定における引用文献１に基づく拒絶理由について、審判請求時の補正により、請求項１〜７に係る発明は、「前記第２面は、前記吐出口に対面し」という発明特定事項を有するものとなっており、このことに起因して、上記第４で認定した＜相違点１−２＞が生じている。そして、上記第４に説示したとおり、当業者であっても、引用文献１に記載の発明に基づいて＜相違点１−２＞を解消することに容易に想到するとはいえないから、当該拒絶理由を維持することはできない。
　原査定における引用文献２に基づく拒絶理由について、拒絶査定の備考欄では「放電電極１１は『板状構造物』及び『紫外線光源部』に相当する」との認定がなされているところ、引用文献２の放電電極１１は板形状であることが記載も示唆もされていないから、放電電極１１が板状構造物に相当するとはいえない。そして、放電電極１１が板状構造物に相当するとはいえないことを踏まえた上で、上記第４で説示したとおり、上記＜相違点２−１＞が認定され、＜相違点２−１＞を解消することは当業者が容易に想到し得たとはいえないとの結論が導かれるから、当該拒絶理由を維持することはできない。
　したがって、原査定の理由１〜２を維持することはできない。
第６　むすび
　以上の通り、原査定の理由によっては、本願を拒絶することはできない。
　また、他に本願を拒絶すべき理由を発見しない。
　よって、結論の通り審決する。